(57)【要約】【課題】色彩豊かで意匠性に富むインテリア調光フィルムおよび調光パネルを提供することを課題とする。【解決手段】調光フィルムであって、透明導電性膜を有する２枚のプラスチックフィルムが、透明導電性膜を対向させて、液晶分子層、あるいは液晶分子と高分子の複合膜層を介して積層されており、２層の透明導電性膜は、それぞれ一部が露出して、電圧印加のための電源に接続することができ、２枚のプラスチックフィルムの周縁部は封止されており、２枚のプラスチックフィルムのうち少なくとも一枚が、無色透明であるか、または着色されているか、もしくは絵柄を付与されていることを特徴とする調光フィルム。【選択図】図１
2018146662.tif 000002
【特許請求の範囲】
【請求項１】
調光フィルムであって、
透明導電性膜を有する２枚のプラスチックフィルムが、透明導電性膜を対向させて、液晶分子層、あるいは液晶分子と高分子の複合膜層を介して積層されており、
２層の透明導電性膜は、それぞれ一部が露出して、電圧印加のための電源に接続することができ、
２枚のプラスチックフィルムの周縁部は封止されており、
２枚のプラスチックフィルムのうち少なくとも一枚が、無色透明であるか、または着色されているか、もしくは絵柄を付与されていることを特徴とする調光フィルム。
【請求項２】
前記調光フィルムは、複数の調光フィルムをつなぎ合わせて任意のデザインを表現したものであることを特徴とする請求項１に記載の調光フィルム。
【請求項３】
請求項１または請求項２に記載の調光フィルムが、透明ガラス、あるいは鏡面ガラスに貼り付けられていることを特徴とする調光パネル。
【請求項４】
請求項１に記載の調光フィルムが、透明ガラス、あるいは鏡面ガラス上に、複数並べて配置され貼り付けられていることを特徴とする調光パネル。
【発明の詳細な説明】
【技術分野】
【０００１】
本発明は、インテリア調光フィルムおよび調光パネルに関するものである。すなわち、建物内部の装飾において、印加電圧によって光の透過率を変化させることのできる調光フィルムを用いて、新しい表現で室内、窓、あるいは家具の表面などを装飾することが可能な、インテリア調光フィルムおよび調光パネルに関するものである。
【背景技術】
【０００２】
調光フィルムとは、印加電圧のオン、オフで透明と不透明を瞬時に切り替えることのできる積層体のフィルムである。その用途として、例えば窓の遮光などにも用いられることのあるフィルムである。その原理は、低分子液晶を用いて電場による液晶分子の再配列に伴う光学特性の変化を利用したものであって、低電力消費、低電圧駆動が特徴である。
【０００３】
近年では液晶のほか、液晶／高分子の複合膜を利用して、より効率のよい調光フィルムが実用に供されるようになってきている。
【０００４】
しかしながら、従来は調光フィルムを２枚のガラスの間に貼り合わせておき、そのガラスを窓枠などに取り付ける方法がとられてきたために、調光フィルムの交換のため、あるいは新規に調光フィルムを取り付けようとする場合には、ガラス窓ごと交換するか、取り付ける必要があり、費用がかかる上に煩雑であり、時間も必要である。
【０００５】
また、特許文献１には、（高分子／液晶）複合材料を用いた電子ブラインドに関する提案がなされているが、対象は遮光性を有するブラインドに限られており、色彩豊かなデザイン性、インテリアや家具の装飾用途としての意匠性が考慮されているものではなかった。
【先行技術文献】
【特許文献】
【０００６】
【特許文献１】特許第４０３１５０６号公報
【発明の概要】
【発明が解決しようとする課題】
【０００７】
本発明は、このような状況に鑑みてなされたものであり、色彩豊かで意匠性に富むインテリア調光フィルムおよび調光パネルを提供することを課題とする。
【課題を解決するための手段】
【０００８】
上記の課題を解決するための手段として、請求項１に記載の発明は、
調光フィルムであって、
透明導電性膜を有する２枚のプラスチックフィルムが、透明導電性膜を対向させて、液晶分子層、あるいは液晶分子と高分子の複合膜層を介して積層されており、
２層の透明導電性膜は、それぞれ一部が露出して、電圧印加のための電源に接続することができ、
２枚のプラスチックフィルムの周縁部は封止されており、
２枚のプラスチックフィルムのうち少なくとも一枚が、無色透明であるか、または着色されているか、もしくは絵柄を付与されていることを特徴とする調光フィルムである。
【０００９】
また、請求項２に記載の発明は、
前記調光フィルムは、複数の調光フィルムをつなぎ合わせて任意のデザインを表現したも
のであることを特徴とする請求項１に記載の調光フィルムである。
【００１０】
また、請求項３に記載の発明は、
請求項１または請求項２に記載の調光フィルムが、透明ガラス、あるいは鏡面ガラスに貼り付けられていることを特徴とする調光パネルである。
【００１１】
また請求項４に記載の発明は、
請求項１に記載の調光フィルムが、透明ガラス、あるいは鏡面ガラス上に、複数並べて配置され貼り付けられていることを特徴とする調光パネルである。
【発明の効果】
【００１２】
本発明によれば、調光フィルムを用いて、色彩豊かで意匠性に富むインテリア調光フィルムおよび調光パネルを提供することが可能である。
【００１３】
とくに請求項２に記載の発明によれば、複数の調光フィルムをつなぎ合わせて接続することによって、よりシームレスかつ意匠性に富むデザインの実現が可能になり、また調光フィルムはカットも容易であることから、透明ガラスや鏡面ガラスに貼り付けるだけで、より容易に調光パネルを得ることが可能である。
【００１４】
すなわち本発明によれば、つなぎ合わせた調光フィルムを用いて、色彩豊かで意匠性に富むインテリア調光フィルムを提供することが可能である。またつなぎ合わせによって、大面積の調光フィルムの実現も可能である。
【００１５】
とくに請求項３に記載の発明によれば、透明ガラスまたは鏡面ガラスを基材として調光フィルムを貼りあわせることにより、調光フィルムを用いて、色彩豊かで意匠性に富む調光パネルを提供することが可能である。
【００１６】
とくに請求項４に記載の発明によれば、透明ガラスまたは鏡面ガラスを基材として調光フィルムを貼りあわせることにより、調光フィルムを用いて、色彩豊かで意匠性に富む調光パネルを提供することが可能である。
【図面の簡単な説明】
【００１７】
【図１】図１は、本発明に係る調光フィルムの一実施態様を説明するための部分断面模式図である。
【図２】図２は、本発明に係る調光フィルムおよびそれを用いた調光パネルの一実施態様を説明するための部分断面模式図である。
【図３】図３は、本発明に係る調光フィルムおよびそれを用いた調光パネルの一実施態様を説明するための平面模式図である。
【図４】図４は、調光フィルムが、電源オフによって透明、電圧印加によって不透明になる型である場合の動作を説明するための部分断面模式図である。
【図５】図５は調光フィルムが、電源オフによって不透明、電圧印加によって透明になる型である場合の動作を説明するための部分断面模式図である。
【発明を実施するための形態】
【００１８】
以下、本発明を図を参照しながら、更に詳しい説明を加える。ただし本発明は、ここに示す例にのみ限定されるものではない。本発明は、請求項によって限定されるものである。
【００１９】
図１は、本発明に係る調光フィルムの一実施態様を説明するための部分断面模式図である。
【００２０】
本発明は、調光フィルムおよび調光パネルであって、調光フィルム（１０）は透明導電性膜（３）を有する２枚のプラスチックフィルム（２）が、液晶分子、あるいは液晶分子と高分子の複合膜層（１）を介して、積層されている。
【００２１】
プラスチックフィルム（２）は高分子樹脂組成物からなるフィルムであって、ポリオレフィン（ポリエチレン、ポリプロピレン等）、ポリエステル（ポリエチレンテレフタレート、ポリブチレンテレフタレート、ポリエチレンナフタレート等）、ポリアミド（ナイロン−６、ナイロン−６６等）、ポリイミドなどが使用でき、用途に応じて適宜選択される。特にポリプロピレン、ポリエチレンテレフタレートの場合は、フィルム強度と価格においてより好ましい。
【００２２】
２枚のプラスチックフィルム（２）に設けられた透明導電性膜（３）は、互いに対向した状態で液晶分子と高分子の複合膜層（１）を介して積層されており、電源（６）を接続して電圧を印加あるいは電圧印加をオフにすることによって液晶分子、あるいは液晶分子と高分子の複合膜層（１）の液晶分子の配向を変化させることができる。
【００２３】
この液晶分子の配向の変化によって、入射光（３５）は調光フィルム（１０）を透過したり、あるいは散乱して調光フィルム（１０）が不透明になったりする。
【００２４】
透明導電性膜（３）は、その生成方法については限定を加えるものではないが、たとえば酸化インジウムスズ（Ｉｎｄｉｕｍ  Ｔｉｎ  Ｏｘｉｄｅ）を前述のプラスチックフィルム（２）に真空蒸着して生成することができる。
【００２５】
また２層の透明導電性膜（３）は、それぞれ一部が露出して、電圧印加のための電源（６）に接続することができる。また２枚のプラスチックフィルム（２）の周縁部は封止剤（５）によって封止されている。また、本発明において、２枚のプラスチックフィルムのうち少なくとも一枚が、無色透明であるか、または着色されているか、もしくは絵柄を付与されている。
【００２６】
２枚のプラスチックフィルム（２）が無色透明のままであれば、電圧の印加、あるいは電圧の印加オフによって調光フィルムは透明または不透明の変化をつけられるだけであるが、少なくとも１枚のプラスチックフィルム（２）への着色もしくは絵柄の付与によって調光フィルムは、色彩の表現や意匠性の表現が可能になる。
【００２７】
すなわち、プラスチックフィルム（２）が着色されているのであれば、それが入射光（３５）側のプラスチックフィルム（２）であれば、調光フィルムが不透明な場合に、着色された色を入射光（３５）側から見ることができる。逆に調光フィルムが透明な場合には、透過光の側から見て着色された色を見ることができる。
【００２８】
この効果は、印刷を付与した場合においても、同様である。すなわちプラスチックフィルム（２）に絵柄が付与されているのであれば、それが入射光（３５）側のプラスチックフィルム（２）であれば、調光フィルムが不透明な場合に、付与された絵柄を入射光（３５）側から見ることができる。逆に調光フィルムが透明な場合には、透過光の側から見て付与された絵柄を見ることができる。
【００２９】
また、本発明による調光フィルム（１０）は、複数の調光フィルム（１０）をつなぎ合わせて任意のデザインを表現することができる。これは調光フィルム（１０）の少なくとも一枚が、無色透明であるか、または着色されているか、もしくは絵柄を付与されているために、色彩豊かで形も自由度が高い意匠効果が可能になる。
【００３０】
調光フィルム（１０）同士のつなぎ合わせに際しては、電圧印加のための透明導電性膜（１）同士を直接、あるいは電線（８）や導電性接着剤（４）などの導体を介して接続させてつなぐことができる。
【００３１】
すなわち本発明によれば、つなぎ合わせた調光フィルムを用いて、色彩豊かで意匠性に富むインテリア調光フィルムを提供することが可能である。またつなぎ合わせによって、大面積の調光フィルムの実現も可能である。
【００３２】
図２は、本発明に係る調光フィルムおよびそれを用いた調光パネルの一実施態様を説明するための部分断面模式図である。
【００３３】
図２に示す例において、調光フィルム（１０）は導電性接着剤（４）によって、透明ガラス（９）に貼り付けられている。貼り付けは導電性接着剤（４）のほか、たとえば透明粘着テープを用いて貼り付けることもできる。
【００３４】
電源（６）と透明導電性膜（３）との間の接続、すなわち電圧印加は、電線（８）を用いることもできるが、導電性接着剤（４）を用いる場合には、電源（６）と透明導電性膜（３）との間にあって両者を繋いで導通させ、調光フィルム（１０）への電圧印加を可能にすることもできる。
【００３５】
図２に示す例において、導電性接着剤（４）を用いて調光フィルム（１０）を透明ガラス（９）に貼り付けたものが、調光パネル（１１）である。
【００３６】
電圧印加は２層の透明導電性膜（３）に通電して行なわれるが、図２に示す例においては、一方の透明導電性膜（３）には直接電線（８）を介して行われ、もう一方の透明ガラス側の透明導電性膜（３）には、導電性接着剤（４）を介して電圧印加が行なわれて、調光フィルム（１０）の印加電圧を制御する。
【００３７】
また透明ガラス（９）のほか、例えば光を反射する鏡面ガラスを用いることも可能である。鏡面ガラスを用いる場合には、意匠効果は入射光（３５）側からのみ可視である。しかしながら、調光フィルム（１０）が透明な状態にあるときには、入射光（３５）が一旦調光フィルムを通過したのち鏡面で反射しするために、透明ガラス（９）とは異なる意匠効果を実現することができる。
【００３８】
図３は、本発明に係る調光フィルムおよびそれを用いた調光パネルの一実施態様を説明するための平面模式図である。
【００３９】
ここに示す例において、調光パネル（１１）は、透明ガラス（９）上に、９片の矩形の調光フィルム（１０）を、配列してある。それぞれの調光フィルム（１０）には、無色透明なものが使用できるほか、使用する２枚のプラスチックフィルム（２）のうち少なくとも１枚に着色あるいは絵柄の付与がなされている。したがって同一平面上に異なった色彩、絵柄を表現することができ、より複雑な意匠効果を得ることができる。
【００４０】
ここに示す調光パネル（１１）の例は、透明ガラス（９）上に、９片の矩形の調光フィルム（１０）を、配列した例であって、調光フィルム（１０）を不透明または透明としたときの入射光側から見ることのできる意匠の例である。このうち、調光フィルム（１０）が透明な状態になっているものについては、調光パネル（１１）の向こう側から、入射光側プラスチックフィルム、または透明ガラス（９）側のプラスチックフィルムに付与された色彩や絵柄を視認することができる。
【００４１】
また調光フィルムが不透明になっている場合には、入射光側から入射光側プラスチックフィルムに付与された色彩や、絵柄を視認することができ、同時に透明ガラス（９）の向こう側からも、調光フィルム（１０）の透明ガラス（９）側のプラスチックフィルムに付与された、色彩や絵柄を視認することができる。
【００４２】
このように本発明による調光フィルム（１０）は、基材となる透明ガラス（９）あるいは鏡面ガラスに貼り付けて、調光パネル（１１）とすることができる。貼り付けは、たとえば透明接着剤や透明な両面テープで行なうことができる。しかしながら、意匠性に影響を与えない範囲、たとえば調光パネル（１１）の周縁部などの場合には透明でなくてもかまわない。
【００４３】
また接着剤には、特段の限定を設けるものではないが、例えばエポキシ系、シリコン系、アクリル系、ウレタン系などから、使用環境や使用目的を勘案して適宜選択することができる。
【００４４】
また、複数の調光フィルム（１０）の一部のものを不透明、残りのものを透明とすることによって、より複雑な意匠性の調光パネル（１１）を得ることも可能である。
【００４５】
これらは電圧の印加あるいは電圧印加オフによって、それぞれが異なった色彩、絵柄を発現するために、意匠性に富んでおり、例えば窓のほか、インテリア、家具などの用途に用いることができる。本発明による、調光フィルムの透明、不透明の場合の意匠効果については後述する。
【００４６】
図３に示す例において、調光フィルム（１０）は透明ガラス（９）上に互いに接することなく縦横に並べてある例であるが、これらの調光フィルム（１０）は矩形以外、任意の形であってかまわない。
【００４７】
そのほかに調光フィルム（１０）同士をつなぎ合わせて連続させ、意匠性に富む調光フィルム（１０）として、透明ガラス（９）あるいは鏡面ガラスに貼り付けることも可能である。
【００４８】
本発明による調光フィルムは、２枚のプラスチックフィルムのうち少なくとも一枚が、無色透明であるか、または着色されているか、もしくは絵柄を付与されている。
【００４９】
プラスチックフィルムへの着色、または絵柄の付与については、特段の限定を設けるものではないが、たとえば、プラスチックフィルムへの既存のコーティング方法、印刷方法を用いることができる。また、そのためのプラスチックフィルムへの表面処理を行なうことも可能である。
【００５０】
また、調光フィルムの最外層の面には、例えば傷つき防止のためのハードコート層や、耐光性向上のためのＵＶカット層、あるいは赤外線カット層、などを使用目的や使用環境に応じて設けても良い。
【００５１】
図４は、調光フィルムが、電源オフによって透明、電圧印加によって不透明になる型である場合の動作を説明するための部分断面模式図である。
【００５２】
ここに示す例においては、調光フィルム（３０）には、リバースモード型とも呼ばれネガ型の液晶分子（３４）および高分子の複合膜層が示される。すなわち電源（６）オフの状態で、ネガ型の液晶分子（３４）は、入射光（３５）に対して平行に配列した状態とな
る。
【００５３】
この状態は液晶分子への電圧印加をオフにしたことによる均一配向、あるいは液晶と高分子の屈折率の一致、であって入射光（３５）が透過できる状態である。このため、入射光（３５）はそのまま調光フィルム（３０）を透過して、透過光（３６）となる。すなわち、調光フィルム（３０）は透明な状態である。
【００５４】
この状況においては、入射光側のプラスチックフィルム（２０）に着色、あるいは絵柄を付与しておくことで、透過光（３６）側からその着色あるいは絵柄の意匠性を、見ることができる。透過光（３６）であるから、透過光側のプラスチックフィルム（２１）に着色、あるいは絵柄の付与を行なっても同様である。
【００５５】
仮に入射光側のプラスチックフィルム（２０）、および透過光側のプラスチックフィルム（２１）とが、いずれも無色透明の場合には、素通しのガラスと同様の外観となる。
【００５６】
これに対し、図４の下に示すように、矢印（３１）の電源（６）オンの操作により、調光フィルム（３０）に電圧が印加されると、ネガ型の液晶分子（３４）の配列は不規則となる。
【００５７】
この状態は電圧印加による液晶のランダム配向、あるいは液晶と高分子の屈折率の不一致であって入射光（３５）が透過できず不透明な状態である。このため入射光（３５）はそのまま透過することができず、散乱光（３７）となる。
【００５８】
この状況においては、入射光側のプラスチックフィルム（２０）に着色、あるいは絵柄を付与しておくことで、入射光（３５）側からその着色あるいは絵柄の意匠性を、可視とすることができる。
【００５９】
すなわち入射光（３５）は散乱光（３７）となるために、一旦調光フィルムに入った光は一部は反射して入射光（３５）側に出てくるために、入射光（３５）側からその着色あるいは絵柄の意匠性を、可視とすることができるのである。
【００６０】
また一部の透過光は透過光（３６）側にも散乱光（３７）として出るために、入射光側のプラスチックフィルム（２０）の着色、あるいは絵柄が透過光側にも一定の影響を及ぼす。
【００６１】
また透過光側のプラスチックフィルム（２１）に着色、あるいは絵柄の付与を行なっている場合には、透過光（３６）側からも、プラスチックフィルム（２１）への着色、あるいは絵柄が可視となる。
【００６２】
また、入射光側のプラスチックフィルム（２０）、透過光側のプラスチックフィルム（２１）のいずれもが無色透明の場合には、入射光（３５）側からも、透過光（３６）側からも白濁状態の調光フィルム（３０）が可視である。
【００６３】
さらに、図中矢印（３２）の電源（６）オフの操作により、調光フィルム（３０）は印加電圧オフの状態となり、液晶分子（３４）は再び入射光（３５）に対して平行に配列した状態となって、前述のように調光フィルム（３０）は再び透明な状態にもどる。
【００６４】
図５は、調光フィルムが、電源オフによって不透明、電圧印加によって透明になる型である場合の動作を説明するための部分断面模式図である。
【００６５】
ここに示す例においては、調光フィルム（３０）は、ノーマルモード型とも呼ばれポジ型の液晶分子（３８）と高分子の複合膜層が示される。すなわち電源（６）オフの状態で、ポジ型の液晶分子（３８）は入射光（３５）に対してランダムに配列した状態となる。
【００６６】
この状態は電圧が印加されない状態での液晶のランダム配向、あるいは液晶と高分子の屈折率の不一致であって光が透過できず散乱する状態である。このため、入射光（３５）はそのまま透過することができず、散乱光（３７）となる。したがって、調光フィルム（３０）は不透明な状態である。
【００６７】
この状況においては、入射光側のプラスチックフィルム（２０）に着色、あるいは絵柄を付与しておくことで、入射光（３５）側からその着色あるいは絵柄の意匠性を、見ることができる。
【００６８】
すなわち入射光（３５）は散乱光（３７）となるために、一旦調光フィルムに入った光は一部は反射して入射光（３５）側に出てくるために入射光（３５）側からその着色あるいは絵柄の意匠性を、見ることができるのである。
【００６９】
また一部の透過光は透過光（３６）側にも散乱光（３７）として出るために、入射光側のプラスチックフィルム（２０）の着色、あるいは絵柄が透過光側にも一定の影響を及ぼす。
【００７０】
透過光側のプラスチックフィルム（２１）に着色、あるいは絵柄の付与を行なっている場合には、透過光（３６）側からも、プラスチックフィルム（２１）への着色、あるいは絵柄が可視となる。
【００７１】
また、入射光側のプラスチックフィルム（２０）、透過光側のプラスチックフィルム（２１）のいずれもが無色透明の場合には、入射光（３５）側からも、透過光（３６）側からも白濁状態の調光フィルム（３０）が可視である。
【００７２】
これに対し、図中矢印（３１）の電源オンの操作により、調光フィルム（３０）に電圧が印加されると、ポジ型の液晶分子（３８）の配列は入射光（３５）に平行に配列した状態となる。
【００７３】
この状態は電圧印加による液晶の均一配向、あるいは液晶と高分子の屈折率の一致、であって入射光（３５）が透過できる状態である。したがって入射光（３５）は、そのまま調光フィルム（３０）を透過して、透過光（３６）となる。すなわち、調光フィルム（３０）は透明な状態である。
【００７４】
この状況においては、入射光側のプラスチックフィルム（２０）に着色、あるいは絵柄を付与しておくことで、透過光（３６）側からその着色あるいは絵柄の意匠性を、見ることができる。透過光（３６）であるから、透過光側のプラスチックフィルム（２１）に着色、あるいは絵柄の付与を行なっても同様である。
【００７５】
さらに、図中矢印（３２）の電源オフの操作により、調光フィルム（３０）は印加電圧オフの状態で、液晶分子は入射光（３５）に対してランダムに配列した状態となって、前述のように調光フィルム（３０）は再び不透明な状態となって、入射光（３５）を散乱させて遮ることができる。
【００７６】
図４、及び図５に示す例において、透過光（３６）側に透明ガラスを貼りあわせる場合には、前述の意匠効果を得ることができるが、透過光（３６）側に鏡面ガラスを貼りあわ
せる場合にはその意匠効果は異なる。
【００７７】
すなわち、透過光（３６）側からは、調光フィルム（３０）は不可視となる。以下、調光フィルム（３０）と鏡面ガラスとを貼りあわせる場合の、意匠効果について説明を加える。
【００７８】
すなわち、透過光（３６）側に達する光は、鏡面ガラスによって反射光となって入射光（３５）側に反射されるために、図４の上に示す状況においては、入射光側のプラスチックフィルム（２０）の着色、あるいは絵柄が、入射光（３５）側から可視である。これは透過光側のプラスチックフィルム（２１）に着色、あるいは絵柄を設けた場合においても同様に可視である。
【００７９】
また、入射光側のプラスチックフィルム（２０）、透過光側のプラスチックフィルム（２１）のいずれもが無色透明の場合には、入射光（３５）側から鏡面ガラスの鏡面そのものが可視である。
【００８０】
また図４の下に示す状況においては、入射光側のプラスチックフィルム（２０）の着色、あるいは絵柄が入射光（３５）側から、可視であって、散乱光（３７）が入射光（３５）側への反射光となるために、入射光側のプラスチックフィルム（２０）の着色、あるいは絵柄はより明るく強調されて入射光（３５）側から可視となる。
【００８１】
また図５の上に示す状況においては、入射光側のプラスチックフィルム（２０）の着色、あるいは絵柄が入射光（３５）側から、可視であって、散乱光（３７）が入射光（３５）側への反射光となるために、入射光側のプラスチックフィルム（２０）の着色、あるいは絵柄はより明るく強調されて入射光（３５）側から可視となる。
【００８２】
また透過光（３６）側に達する光は、鏡面ガラスによって反射光となって入射光（３５）側に反射されるために、図５の下に示す状況においては、入射光側のプラスチックフィルム（２０）の着色、あるいは絵柄が、入射光（３５）側から可視である。これは透過光側のプラスチックフィルム（２１）に着色、あるいは絵柄を設けた場合においても同様に可視である。
【００８３】
また、入射光側のプラスチックフィルム（２０）、透過光側のプラスチックフィルム（２１）のいずれもが無色透明の場合には、入射光（３５）側から鏡面ガラスの鏡面そのものが可視である。
【００８４】
このように、本発明によれば色彩豊かで意匠性に富むインテリア調光フィルムおよび調光パネルを提供することが可能である。
【００８５】
また調光フィルムは、ガラス基材などへの貼り付けが容易であることから、既存の窓ガラスや鏡面ガラスに接着剤や両面テープなどを用いて、あと付けで貼り合わせて調光パネルとすることも可能かつ容易である。
【００８６】
また調光フィルムは、プラスチックフィルムを基材としているために、小サイズのものをつなぎ合わせて、大面積とすることも容易であり、反対に一枚で大面積のものを実現することもまた容易である。
【符号の説明】
【００８７】
１・・・液晶分子と高分子の複合膜層
２・・・プラスチックフィルム
３・・・透明導電性膜
４・・・導電性接着剤
５・・・封止剤
６・・・電源
８・・・電線
９・・・透明ガラス
１０・・・調光フィルム
１１・・・調光パネル
２０・・・入射光側のプラスチックフィルム
２１・・・透過光側のプラスチックフィルム
３０・・・調光フィルム
３１・・・矢印
３２・・・矢印
３４・・・ネガ型の液晶分子
３５・・・入射光
３６・・・透過光
３７・・・散乱光
３８・・・ポジ型の液晶分子
【図１】
2018146662.tif 000003
【図２】
2018146662.tif 000004
【図３】
2018146662.tif 000005
【図４】
2018146662.tif 000006
【図５】
2018146662.tif 000007